(57)【特許請求の範囲】
【請求項１】
ディスク径の異なる大径ディスクと小径ディスクのいずれのディスクも再生可能な異径ディスク再生装置であって、
前記大径ディスクのセンタリングを検出する第１の検出部材と、
前記小径ディスクのセンタリングを検出する第２の検出部材と、
センタリングされた前記大径ディスク又は前記小径ディスクをクランプするクランプ機構と、
前記異径ディスク再生装置の本体に対して着脱自在に構成されるとともに前記第２の検出部材を載置しているアダプタと、を備え、
前記第１の検出部材と前記第２の検出部材とが係合することによって前記第１の検出部材と前記第２の検出部材とが互いに連結されており、
前記第１の検出部材は、前記大径ディスクのセンタリングを検出した際に当該ディスクに押圧されて作動することにより前記クランプ機構を作動させ、
前記第２の検出部材は、前記小径ディスクのセンタリングを検出した際に当該ディスクに押圧されて作動することにより前記第１の検出部材を作動させ、前記第１の検出部材に前記クランプ機構を作動させることを特徴とする異径ディスク再生装置。
【請求項２】
前記異径ディスク再生装置の本体に前記アダプタが非装着の場合、前記異径ディスク再生装置は前記大径ディスクのみを再生可能であり、前記異径ディスク再生装置の本体に前記アダプタを装着した場合、前記異径ディスク再生装置は前記大径ディスクと前記小径ディスク或いは前記大径ディスクを再生可能とすることを特徴とする請求項１に記載の異径ディスク再生装置。
【請求項３】
前記第１の検出部材は、前記大径ディスクのセンタリングを検出した際に、当該ディスクに押圧されて作動することにより前記第２の検出部材を作動させ、前記第２の検出部材を前記大径ディスクに当接しない位置まで退避させることを特徴とする請求項１又は２に記載の異径ディスク再生装置。
【請求項４】
前記第１の検出部材は、前記大径ディスク又は前記小径ディスクの一面側に配置され、前記第２の検出部材は、前記ディスクの他面側に配設されることを特徴とする請求項１〜３のいずれかに記載の異径ディスク再生装置。
【請求項５】
前記第１の検出部材に突出部を設けると共に、前記第２の検出部材に前記突出部に係合する係合部を設け、前記突出部と前記係合部とが係合することによって前記第１の検出部材と前記第２の検出部材とが互いに連結されることを特徴とする請求項１〜４のいずれかに記載の異径ディスク再生装置。
【発明の詳細な説明】
【０００１】
【発明の属する技術分野】
本発明は、ＣＤ（コンパクトディスク）を再生するディスク再生装置に関し、更に詳しくは、異なった直径を有するＣＤにも対応することのできる異径ディスク再生装置に関するものである。
【０００２】
【従来の技術】
一般に、情報記録媒体であるＣＤは、直径１２ｃｍ、厚さ１．２ｍｍの光学式ＣＤであって、ＣＤの情報は内周側から外周側に向けて再生していく方式が採用されている。ＣＤの記録面には大量の情報を記録することができ、しかも安価に製造、供給することができるので幅広く普及している。
現在では、１２ｃｍＣＤ（以下、１２ＣＤという）以外に、直径８ｃｍとした規格に準拠した８ｃｍＣＤ（以下、８ＣＤという）も普及し始めているため、８ＣＤおよび１２ＣＤを共に再生可能とした８／１２ＣＤ兼用の異径ディスク再生装置が提供されている。
【０００３】
そのような異径ディスク再生装置の一例をあげるとすると、まず、装置本体に設けられているＣＤ挿抜用の挿入口からユーザーが１枚の８ＣＤ、或いは１２ＣＤの一部を装置内に挿入すると、そのＣＤは、ＣＤ搬送機構によって自動的に装置内部に搬送される。そして、搬送されたＣＤの外周縁が当接することにより作動する８ＣＤ用検知手段、或いは１２ＣＤ用検知手段によって、直径が異なったＣＤでも所定の収納位置に確実にセンタリングしたか否かが検知される。
どちらか一方の検知手段によって収納位置に確実にセンタリングされたＣＤは、ターンテーブルに装着される。そして装着完了後のＣＤは、クランパ機構により上面側から圧着されてクランプされ、ターンテーブル回転機構により回転させられて情報記録面再生用の光ピックアップ機構によりＣＤからの情報再生が可能となっているものである。
【０００４】
【発明が解決しようとする課題】
ところで、８ＣＤ用検知手段および１２ＣＤ用検知手段は、再生装置本体に個別に配設されていて、それらが搬送されてくるＣＤの外周縁と当接することにより押圧作動されて、ＣＤを搬送するＣＤ搬送機構やクランプ機構などを機械的に0N-OFF作動させるようになっているものである。
そのため、異径ディスク再生装置には、８ＣＤおよび１２ＣＤにそれぞれ対応する検知手段を有するために内部構造の複雑化を招いている。更に、部品点数の増加に伴って作業工程の増加、製品のコスト高となってしまう虞もあった。
また、上記したような８／１２ＣＤ兼用の異径ディスク再生装置を８ＣＤが普及していない地域に提供する場合には、既存の１２ＣＤ専用再生装置を提供していたが、そのような１２ＣＤ専用再生装置と上記したような異径ディスク再生装置とを別々に製造しなければならないことは、製造効率が非常に低くなってしまうと共に、製造コストの上昇、各部品の無駄を招くことになり不経済である。
更に、そのような地域に既存の１２ＣＤ専用再生装置の提供を中止し、その代わりに異径ディスク再生装置をそのまま提供することは、８ＣＤ用検知手段および各作動部品等に膨大な無駄が生じると共に、製品コストが上昇してしまう虞があった。
また、８ＣＤ用検知手段および各作動部品などを非装着としたライン指示による異径ディスク再生装置ベースの１２ＣＤ専用再生装置を製作することは、細かい作業指示による工程の複雑化を招いてしまう可能性があり、容易に１２ＣＤ専用再生装置に転用することはできなかった。
【０００５】
本発明はこのような従来の問題点に鑑みてなされたものであり、内部構造が簡略化されると共に、１２ＣＤ専用再生装置に容易に転用可能とした構成の異径ディスク再生装置を提供するものである。
【０００６】
【課題を解決するための手段】
本発明は、前述の課題を解決するために以下の特徴を有するものである。一つには、ディスク径の異なる大径ディスクと小径ディスクのいずれのディスクも再生可能な異径ディスク再生装置であって、前記大径ディスクのセンタリングを検出する第１の検出部材と、前記小径ディスクのセンタリングを検出する第２の検出部材と、センタリングされた前記大径ディスク又は前記小径ディスクをクランプするクランプ機構と、前記異径ディスク再生装置の本体に対して着脱自在に構成されるとともに前記第２の検出部材を載置しているアダプタと、を備え、前記第１の検出部材と前記第２の検出部材とが係合することによって前記第１の検出部材と前記第２の検出部材とが互いに連結されており、前記第１の検出部材は、前記大径ディスクのセンタリングを検出した際に当該ディスクに押圧されて作動することにより前記クランプ機構を作動させ、前記第２の検出部材は、前記小径ディスクのセンタリングを検出した際に当該ディスクに押圧されて作動することにより前記第１の検出部材を作動させ、前記第１の検出部材に前記クランプ機構を作動させることを特徴とする。
【０００７】
また一つには、前述した特徴に併せて、前記異径ディスク再生装置の本体に前記アダプタが非装着の場合、前記異径ディスク再生装置は前記大径ディスクのみを再生可能であり、前記異径ディスク再生装置の本体に前記アダプタを装着した場合、前記異径ディスク再生装置は前記大径ディスクと前記小径ディスク或いは前記大径ディスクを再生可能とすることを特徴とする。
【０００８】
また一つには、前述した特徴に併せて、前記第１の検出部材は、前記大径ディスクのセンタリングを検出した際に、当該ディスクに押圧されて作動することにより前記第２の検出部材を作動させ、前記第２の検出部材を前記大径ディスクに当接しない位置まで退避させることを特徴とする。また一つには、前述した特徴に併せて、前記第１の検出部材は、前記大径ディスク又は前記小径ディスクの一面側に配置され、前記第２の検出部材は、前記ディスクの他面側に配設されることを特徴とする。
【０００９】
また一つには、前述した特徴に併せて、前記第１の検出部材に突出部を設けると共に、前記第２の検出部材に前記突出部に係合する係合部を設け、前記突出部と前記係合部とが係合することによって前記第１の検出部材と前記第２の検出部材とが互いに連結されることを特徴とする。
【００１０】
【発明の実施の形態】
以下、本発明を適用した異径ディスク再生装置の実施の形態について図面を用いて説明する。図１は、本発明が適用される異径ディスク再生装置のメインシャーシ（本体）を示した平面図であり、図２は、メインシャーシを１２ＣＤ専用再生装置として構成したところの要部構成を示す平面図、図３〜４は、８／１２ＣＤ兼用として構成したメインシャーシの要部構成を示す平面図である。
【００１１】
図１に示したように、異径ディスク再生装置の主要部を構成している略矩形状のメインシャーシ１のシャーシ上面１Ａには、適宜形状の係合孔２が設けられていて、その係合孔２に着脱自在なアダプタとしての８／１２ＣＤ兼用アームブラケット３が配設されるようになっている。なお、８／１２ＣＤ兼用アームブラケット３の詳細に関しては後述する。
【００１２】
メインシャーシ１の前面側には、水平左右方向に開口しているＣＤ挿抜用の挿入口４が設けられており、ここからメインシャーシ１内部に向かって１枚の８ＣＤ、或いは１２ＣＤが水平状態のまま挿入、或いは抜出されるようになっている。挿入口４の近傍位置にあたるメインシャーシ１内部のシャーシ底面１Ｂ前部には、ＣＤの下面を摺動してＣＤを搬送する搬送手段としての略円柱形状の駆動ローラ５が両端を回動自在に軸支されて取り付けられていると共に、ＣＤ検知用のフォトセンサ（図示せず）が取り付けられている。そして、フォトセンサがＣＤの挿入を検知したのなら、ＣＤの挿入と同時に駆動ローラ５回転駆動用の駆動モータ（図示せず）を回転作動させるようになっていて、ＣＤの搬入を可能としている。また、その駆動モータは、ＣＤ抜出時には逆回転可能とされている。
【００１３】
駆動ローラ５は、その回転軸心方向と挿入口４とが平行となるように、また、その回転軸心方向とＣＤの搬送方向とが互いに直交するように配置されると共に、ＣＤ下面と摺動する駆動ローラ５の回転面６は、摩擦抵抗の大きいゴム系の材質から形成されており、その回転面６の両端からそれぞれ中央部に向かってなだらかに傾斜しているテーパ状面をなしている。そのため、駆動ローラ５の回転により、センタが偏芯した状態で挿入されたＣＤは、搬送されながら徐々にセンタリングされるようになっている。
また、ＣＤを所定位置に搬送完了後の駆動ローラ５は、その搬送位置から下方側に適宜退避移動してＣＤの下面から離脱するようになっている。そして、再生が終了したＣＤをメインシャーシから搬出する際には、ＣＤの下面に摺動可能となるように駆動ローラ５は、上昇移動するようになっている。
【００１４】
そして、シャーシ底面１Ｂの略中央部には、搬送されたＣＤを芯だし装着して回転するターンテーブル７が設けられている。このターンテーブル７のＣＤ装着面には、円形の案内突出部８が立設されていて、この案内突出部８とＣＤの中心孔Ｄｃとが嵌合することによってターンテーブル７に装着されたＣＤの芯だしがなされるようになっている。
また、ターンテーブル７は、ターンテーブル７の軸心下側位置に配設されている回転駆動用のスピンドルモータ（図示せず）によって回転駆動されるようになっている。
【００１５】
ターンテーブル７の近傍位置のシャーシ底面１Ｂには、ＣＤの情報記録面を再生する光ピックアップ機構（以下、ＰＵ機構という）９が、２本の並列したガイドシャフト１０に沿ってＣＤの径方向にスライド移動可能に配設されている。
なお図中、符号１１は、ＰＵ機構９のレンズを示している。
【００１６】
シャーシ底面１Ｂの後部には、１２ＣＤのセンタリングを検出する第１の検出部材であるＣＤ検知アーム（以下、検知アームという）１２が、支軸１３を中心に水平面内で円弧運動自在に取り付けられていると共に、その検知アーム１２には、検知アーム１２を図中時計回り方向に常時付勢させるためのコイルバネ１４の一端が繋止されていて、そのコイルバネ１４の他端は、シャーシ底面１Ｂに繋止されている。
また、検知アーム１２は、平板形状からなる基体１５とその基体１５の後端部に延設された舌片１６および板片１７から形成されていて、基体１５の長手方向はＣＤの搬送方向と略同一方向となされている。
【００１７】
そして、基体１５の後端部右側方に延設された舌片１６には、搬送されたＣＤの外周縁と当接するための１２Ｄ検知部１８が立設されていると共に、基体１５をはさんで舌片１６と対向するような位置、つまり基体１５の後端部左側方に延設された板片１７には、後述する８Ｄ検知アーム３７に設けた挿通孔４２に係合する突出ピン１９が上向きに突設されている。
また、基体１５の前端部の下面側には、係合ピン２０が下向きに突設されていて、この係合ピン２０がモード切換レバー２１に設けられている係合孔２２と係合することによって、モード切換レバー２１を図中右方向にスライド移動させるようになっている（図２参照）。
そして、検知アーム１２およびモード切換レバー２１は、ターンテーブル７に装着されたＣＤよりも下方側となるように配置される。
【００１８】
モード切換レバー２１は、左右方向にスライド移動可能となるようにシャーシ底面１Ｂに配設されているものであって、ＣＤへのクランプ脱着動作などの各種モードを切り換えるようなカム形状（図示せず）を有している。そのため、検知アーム１２の支軸１３を中心とした円弧運動によって、モード切換レバー２１はスライド移動し、後述するクランパ３２などを作動させるようになっている。
モード切換レバー２１の略下側位置のシャーシ底面１Ｂには、モード切換レバー２１をスライド移動させるための駆動用のロードモータ２３が配設されていて、このロードモータ２３が大小２段の異なる直径のギヤを有する駆動ギヤ２４を介してモード切換レバー２１をスライド移動させるようになっている。
なお、ロードモータ２３は、前述のフォトセンサがＣＤの挿入を検知することによって、駆動ローラ５の作動と同時に回転駆動されるようになっている。
【００１９】
駆動ギヤ２４は、同軸となるように設けられている小径の噛合ギヤ２５と大径のウォームギヤ２６とから形成されていて、そのウォームギヤ２６は、ロードモータ２３の駆動軸２７の先端に設けられているウォーム２８と噛み合っている。そして、噛合ギヤ２５は、モード切換レバー２１の左端前側に適宜範囲に亘って設けられているラック２９と噛み合い可能となっている。
更に、一端側をシャーシ底面１Ｂに繋止させたコイルバネ３０の他端側をモード切換レバー２１の略中央近傍に設けた挿通孔３１の一孔端に繋止させる。そのことにより、モード切換レバー２１は、通常、図中左方向に付勢されていて、ラック２９と噛合ギヤ２５とは非噛合状態となっている。
【００２０】
そして、ＣＤを挿入口４に挿入したことを前述のフォトセンサが検知することによって駆動ローラ５とロードモータ２３とが同時に作動を開始して、ＣＤの搬入が開始されると、搬入されているＣＤの外周縁が検知アーム１２と当接し押圧する。
すると、検知アーム１２が、図中反時計回り方向に回動することにより、検知アーム１２の係合ピン２０がモード切換レバー２１の係合孔２２と摺接しながらモード切換レバー２１を図中右方向にスライド移動させる。そのスライド移動により、ラック２９と駆動ギヤ２４の噛合ギヤ２５とが噛み合う。
このとき、ロードモータ２３の回転駆動に伴って駆動ギヤ２４も回転を開始しているので、噛合ギヤ２５とラック２９とが噛み合うことによってロードモータ２３の回転駆動力が駆動ギヤ２４を介してモード切換レバー２１のラック２９に伝動されるようになり、モード切換レバー２１が右方向にスライド移動することによってＣＤのクランプ作動等がなされるようになっている。
【００２１】
更に、ターンテーブル７の上側に位置するシャーシ上面１Ａには、ターンテーブル７に載置されたＣＤの中心孔Ｄｃ近傍位置に圧着してクランプするクランパ３２が配置されている。そのクランパ３２の前端側は、シャーシ上面１Ａに軸支されていると共に、後端側は、シャーシ上面１Ａに対して自由端とされている。そして、ターンテーブル７上にＣＤが装着され、更に、モード切換レバー２１がスライド移動することによってクランパ３２を作動させるクランプ機構（図示せず）が作動され、クランパ３２の後端側が圧着方向に移動してＣＤをクランプするようになっている。
【００２２】
メインシャーシ１のシャーシ上面１Ａに設けられた係合孔２に係合する８／１２ＣＤ兼用アームブラケット（以下、アームブラケットという）３の下面側には、センタリングアームＬ３３とセンタリングアームＲ３４とセンタリングロックアーム３５とがそれぞれ回動自在に軸支されていると共に、センタリングアームＬ３３の下面側には、８ＣＤが挿入された際のセンタリングを検知する８Ｄ検知部３６を有する第２の検知部材としての８Ｄ検知アーム３７が回動自在に軸支されている。そして、これらの各部材は、ターンテーブルに装着されたＣＤよりも上方側に位置されている。
そして、１２ＣＤが挿入された際に、その８Ｄ検知アーム３７の８Ｄ検知部３６は、退避機構としてのセンタリングアームＬ３３とセンタリングアームＲ３４とによって、１２ＣＤを検知しない位置まで退避するようになっている。
また、アームブラケット３の前面側には、シャーシ上面と係合するための係合片３８が前方に突設されている。
【００２３】
アームブラケット３の下面側の略中央左端部には、平板形状のセンタリングアームＬ（以下、アームＬという）３３が、支軸３９によって回動自在に取り付けられていて、アームＬ３３の前端側には、１２ＣＤの外周縁とのみ当接するセンタリングピン４０が下方に突設されている。
ところで、アームＬ３３の下面側の左側端には、８Ｄ検知アーム３７が支軸４１によって回動自在に取付けられていて、その８Ｄ検知アーム３７の右端側には、８ＣＤおよび１２ＣＤの外周縁と当接する８Ｄ検知部３６が下方に突設されていると共に、左端側には、検知アーム１２の突出ピン１９が係合する挿通孔４２が設けられている。
更にまた、アームＬ３３の後端側には、係合ピン４３が下方に突設されている。
【００２４】
その係合ピン４３を挿通する挿通孔４４を有するセンタリングアームＲ（以下、アームＲという）３４は、アームブラケット３の下面側の略中央後部に支軸４５によって回動自在に取り付けられている扇形状の作動部材であって、アームＲ３４の左端側に設けてある挿通孔４４には、アームＬ３３の係合ピン４３が摺動可能に係合していると共に、右端側には、１２ＣＤの外周縁とのみ当接するセンタリングピン４６が下方に突設されている。更に、アームＲ３４の前端面には、切欠き形状の係止溝４７が設けてある。
【００２５】
その係止溝４７に対して、接離可能に係止されるような係止部４８を左端側に有し、更に、前端側には、１２ＣＤの外周縁とのみ摺接するセンタリングピン４９を下方に突設させているセンタリングロックアーム（以下、ロックアームという）３５は、アームブラケット３の下面側の略右端部に支軸５０によって回動自在に取り付けられている。そして、一端側がアームブラケット３に繋止されているコイルバネ５１の他端側をロックアーム３５の上端側に繋止させて、常時、ロックアーム３５を図中時計回り方向に付勢させるようにする。そのことによって、ロックアーム３５の係止部４８がアームＲ３４の係止溝４７に係止して、アームＲ３４が回動しないようにしている。
【００２６】
また、シャーシ底面１Ｂの適宜位置には、ＣＤの移動状態を検知するフォトセンサ（図示せず）が複数箇所に配設されている。そして、それらのフォトセンサにより、挿入口４から挿入されたＣＤが８ＣＤ、或いは１２ＣＤかを判別するようにもなっている。
【００２７】
次に、本発明を適用した異径ディスク再生装置を１２ＣＤ専用再生装置に転用した場合について説明する。
まず、図２に示したのは、１２ＣＤ専用再生装置の要部構成を説明するものであって、メインシャーシ１のシャーシ底面１Ｂには、第１の検出部材である検知アーム１２が装着されている。しかし、シャーシ上面１Ａの係合孔２には、アダプタであるアームブラケット３は装着されていない。
【００２８】
上記構成としたメインシャーシ１の挿入口４にユーザーが１２ＣＤを挿入すると、フォトセンサがそのことを検知することによって駆動ローラ５とロードモータ２３との回転駆動が開始されて、１２ＣＤはシャーシ１内部に搬送される。
搬送中の１２ＣＤは、複数箇所に設置されているフォトセンサによって、その径状が１２ＣＤであるか否かを検知される。そして、１２ＣＤと検知されたのなら搬送はそのまま継続される一方、その径状が８ＣＤと検知されたのなら、駆動ローラ５の回転は直ちに停止された後、逆回転始動されて挿入口４から搬出されるようになっている。
【００２９】
そして、駆動ローラ５により搬送された１２ＣＤの中心孔Ｄｃが、ターンテーブル７の案内突出部８に落とし込まれる位置に搬送されると共に、１２ＣＤの外周縁が、検知アーム１２の舌片１６に設けてある１２Ｄ検知部に当接する。そのことによって、コイルバネ１４によって付勢されていた検知アーム１２は、そのコイルバネ１４の付勢力に抗って支軸１３を中心とした反時計回り方向に回動する。
すると、検知アーム１２の係合ピン２０が、モード切換レバー２１の係合孔２２の端部と摺接ながら、コイルバネ３０による左方向への付勢力に抗って、モード切換レバー２１を図中右方向に移動させると共に、図中一点鎖線で示した１２ＣＤの中心孔Ｄｓと案内突出部８とが嵌合する。
【００３０】
そして、スライド移動によってラック２９と噛合ギヤ２５とが噛み合いだすと、回転しているロードモータ２３の回転駆動力が、駆動ギヤ２４を介して噛合ギヤ２５からモード切換レバー２１のラック２９に伝動されて、モード切換レバー２１は、更に右方向にスライド移動する。そのことによって、モード切換レバー２１のラック形状がクランパ機構などを作動させて、１２ＣＤはクランパ３２によりクランプされると共に、駆動ローラ５が退避移動した後、ＰＵ機構９により再生が開始される。
【００３１】
次に、本発明を適用した異径ディスク再生装置に８ＣＤを挿入した場合について説明する。
まず、図３に示したように、メインシャーシ１のシャーシ底面１Ｂには、第１の検出部材である検知アーム１２が装着されていると共に、シャーシ上面１Ａの係合孔２には、アダプタであるアームブラケット３が装着されている。その際に、検知アーム１２の突出ピン１８は、８Ｄ検知アーム３７の挿通孔４２に挿通されている。
【００３２】
上記構成としたメインシャーシ１の挿入口４にユーザーが８ＣＤを挿入すると、フォトセンサがそのことを検知することによって駆動ローラ５とロードモータ２３との回転駆動が開始されて、８ＣＤをシャーシ１内部に搬送する。
そして、駆動ローラ５により搬送された８ＣＤの中心孔Ｄｃが、ターンテーブル７の案内突出部８に落とし込まれる位置に搬送されると共に、８ＣＤの外周縁は、ロックアーム３５によって回動を阻止されているアームＲ３４のセンタリングピン４３と、そのアームＲ３４と連接されて回動を阻止されているアームＬ３３のセンタリングピン４０とに当接することによって、所定位置に確実にセンタリングされる。その際に、駆動ローラ５によって搬送されている８ＣＤの外周縁は、８Ｄ検知アーム３７の８Ｄ検知部３６にも当接する。そのことによって、８Ｄ検知アーム３７は、支軸４１を中心にして図中反時計回り方向に回動する。
すると、回動する８Ｄ検知アーム３７の挿通孔４２に沿って検知アーム１２の突出ピン１９も回動を促されて、検知アーム１２は、図中反時計回り方向に回動する。
【００３３】
そして、検知アーム１２の係合ピン２０が、モード切換レバー２１の係合孔２２の端部と摺接ながら、モード切換レバー２１を図中右方向に移動させると同時に、図中一点鎖線で示した８ＣＤの中心孔Ｄｓは、案内突出部８に嵌合する。
そのスライド移動により、ラック２９と噛合ギヤ２５とが噛み合いだすと、回転しているロードモータ２３の回転駆動力が、駆動ギヤ２４を介して噛合ギヤ２５からモード切換レバー２１のラック２９に伝動されて、モード切換レバー２１は、更に右方向にスライド移動するようになる。
そのことによって、モード切換レバー２１のラック形状がクランパ機構を作動させて、８ＣＤはクランパ３２によりクランプされると共に、駆動ローラ５が退避移動した後、ＰＵ機構９により再生が開始される。
【００３４】
次に、本発明を適用した異径ディスク再生装置に１２ＣＤを挿入した場合について説明する。
これは、図４に示したように、メインシャーシ１のシャーシ底面１Ｂには、第１の検出部材である検知アーム１２が装着されていると共に、シャーシ上面１Ａの係合孔２には、アダプタであるアームブラケット３が装着されている。そして、検知アーム１２の突出ピン１８は、８Ｄ検知アーム３７の挿通孔４２に挿通されている。
【００３５】
上記構成としたメインシャーシ１の挿入口４にユーザーが１２ＣＤを挿入すると、センサがそのことを検知することによって駆動ローラ５とロードモータ２３との回転駆動が開始されて、１２ＣＤをシャーシ１内部に搬送する。
すると、搬送中の１２ＣＤの外周縁が、まずロックアーム３５のセンタリングピン４９に摺接する。センタリングピン４９は、搬送中の１２ＣＤの外周縁によって徐々に図中右方向に押圧されて、支軸５０を中心にロックアーム３５を図中反時計回り方向に回動させる。そのことによって、ロックアーム３５の係止部４８がアームＲ３４の係止溝４７から離脱してアームＲ３４が回動可能な状態となると共に、アームＲ３４に連接しているアームＬ３３をも回動可能とされている。
【００３６】
そして、その状態のまま搬送途中の１２ＣＤの外周縁は、アームＬ３３のセンタリングピン４０とアームＲ３４のセンタリングピン４６とに対して当接を開始する。
１２ＣＤは駆動ローラ５によって更に搬送されているので、１２ＣＤの外周縁は、センタリングピン４０とセンタリングピン４６とを更に押圧する。そして、アームＬ３３は支軸３９を中心に図中時計回り方向に回動すると共に、アームＲ３４は支軸４５を中心に図中反時計回り方向に回動する。
【００３７】
そして、アームＬ３３に軸支されている８Ｄ検知アーム３７は、アームＬ３３の回動に伴って後方にスライド移動しながら、８Ｄ検知部３６が１２ＣＤの外周縁に押圧されるので、支軸４１を中心として図中反時計回り方向に回動する。
駆動ローラ５により搬送された１２ＣＤの中心孔Ｄｃが、ターンテーブル７の案内突出部８に落とし込まれる位置に搬送されると共に、１２ＣＤの外周縁は、検知アーム１２の１２Ｄ検知部１８と当接して検知アーム１２を図中反時計回り方向に回動させ、更に、検知アーム１２の突出ピン１９は、回動する８Ｄ検知アーム３７の挿通孔４２に沿って摺接移動する。
そして、回動する検知アーム１２の突出ピン１９によって、８Ｄ検知アーム３７は、更に回動されて１２ＣＤのセンタリング位置より外方向、つまり１２ＣＤを検知しない位置まで退避移動する。
【００３８】
そして、検知アーム１２の係合ピン２０が、モード切換レバー２１の係合孔２２の端部と摺接して、モード切換レバー２１を図中右方向に移動させる。
そのスライド移動により、ラック２９と噛合ギヤ２５とが噛み合いだすと、回転しているロードモータ２３の回転駆動力が、駆動ギヤ２４を介して噛合ギヤ２５からモード切換レバー２１のラック２９に伝動されて、モード切換レバー２１は、更に右方向にスライド移動する。そのことによって、モード切換レバー２１のラック形状がクランパ機構を作動させて、１２ＣＤはクランパ３２によりクランプされる。その後、駆動ローラ５が退避移動しＰＵ機構９によってＣＤの再生が開始される。
【００３９】
【発明の効果】
以上のように、本発明の異径ディスク再生装置は、ディスク径の異なる大径ディスクと小径ディスクのいずれのディスクも再生可能な異径ディスク再生装置であって、前記大径ディスクのセンタリングを検出する第１の検出部材と、前記小径ディスクのセンタリングを検出する第２の検出部材と、センタリングされた前記大径ディスク又は前記小径ディスクをクランプするクランプ機構と、前記異径ディスク再生装置の本体に対して着脱自在に構成されるとともに前記第２の検出部材を載置しているアダプタと、を備え、前記第１の検出部材と前記第２の検出部材とが係合することによって前記第１の検出部材と前記第２の検出部材とが互いに連結されており、前記第１の検出部材は、前記大径ディスクのセンタリングを検出した際に当該ディスクに押圧されて作動することにより前記クランプ機構を作動させ、前記第２の検出部材は、前記小径ディスクのセンタリングを検出した際に当該ディスクに押圧されて作動することにより前記第１の検出部材を作動させ、前記第１の検出部材に前記クランプ機構を作動させることを特徴とするので、異径ディスクそれぞれに対応するように検知手段を設ける必要が無く、異径ディスク再生装置の内部構造を簡略化することが可能になる。
また、前記異径ディスク再生装置の本体に前記アダプタが非装着の場合、前記異径ディスク再生装置は前記大径ディスクのみを再生可能であり、前記異径ディスク再生装置の本体に前記アダプタを装着した場合、前記異径ディスク再生装置は前記大径ディスクと前記小径ディスク或いは前記大径ディスクを再生可能とすることを特徴とするので、大径ディスク専用の再生装置に容易に転用が可能であり、既存の大径ディスク専用再生装置にアダプタを付加することで簡易に異径ディスク再生装置を製造することが可能になる。よって、製造コストの上昇或いは部品の無駄が無く異径ディスク再生装置を製造することができる。
【図面の簡単な説明】
【図１】  本発明が適用される異径ディスク再生装置のメインシャーシを示した平面図である。
【図２】  図１のメインシャーシを１２ＣＤ専用再生装置として構成したところの要部構成を示す平面図である。
【図３】  ８／１２ＣＤ兼用として構成した異径ディスク再生装置のメインシャーシに８ＣＤを挿入したときの要部構成を示す平面図である。
【図４】  ８／１２ＣＤ兼用として構成した異径ディスク再生装置のメインシャーシに１２ＣＤを挿入したときの要部構成を示す平面図である。
【符号の説明】
１    メインシャーシ
２    係合孔
３    アダプタ（８／１２ＣＤ兼用アームブラケット）
５    駆動ローラ
７    ターンテーブル
９    光ピックアップ機構
１２  第１の検出部材（ＣＤ検知アーム）
１８  １２Ｄ検知部
３２  クランパ
３３  センタリングアームＬ
３４  センタリングアームＲ
３５  センタリングロックアーム
３６  ８Ｄ検知部
３７  第２の検出部材（８ＣＤ検知アーム）
【図１】
0003841579.tif 000002
【図２】
0003841579.tif 000003
【図３】
0003841579.tif 000004
【図４】
0003841579.tif 000005